(57)【要約】【課題】消費電力を抑えつつ、脈と体動の成分を含む信号から脈の情報と体動の情報を得る。【解決手段】一つの発光ダイオード１１から照射された第１光１２Ａは、乳頭層１２０にある毛細血管内の血液で反射して第１受光部２２Ａで受光され、第２光１２Ｂは、網状層１４０にある毛細血管内の血液で反射して第２受光部２２Ｂで受光される。一つのフォトダイオード２１は、受光した第１光１２Ａに応じた信号と、受光した第１光１２Ａに応じた信号をコンバーター２６へ出力する。コンバーター２６は、入力された信号をデジタル化して制御部３０へ供給する。制御部３０は、入力された信号から体動の周波数と人体１００の脈の周波数を特定し、脈拍数を表示する。【選択図】図４
2011087657.tif 000002
【特許請求の範囲】
【請求項１】
第１波長の光と、前記第１波長より短い第２波長の光を生体に照射する発光素子と、
前記発光素子から照射されて前記生体で反射された前記第１波長の光が透過する第１濾光手段と、
前記発光素子から照射されて前記生体で反射された前記第２波長の光が透過する第２濾光手段と、
前記第１濾光手段を透過した光に対応した第１信号と、前記第２濾光手段を透過した光に対応した第２信号を出力する受光素子と、
前記受光素子から出力された前記第１信号と前記第２信号とを取得し、前記第１信号と前記第２信号とから前記生体の脈に関する情報と前記生体の体動に関する情報を生成する情報生成部と
を有する測定装置。
【請求項２】
前記第１波長の光は、前記生体の乳頭下層に到達せず、前記第２波長の光は、前記生体の網状層に到達する光であることを特徴とする請求項１に記載の測定装置。
【請求項３】
前記第１波長は、前記発光素子の発光スペクトルにおいて光の強度がピークとなっている波長であることを特徴とする請求項１または請求項２に記載の測定装置。
【請求項４】
発光素子から第１波長の光と、前記第１波長より短い第２波長の光を生体に照射するステップと、
前記生体で反射された前記第１波長の光が透過する第１濾光手段を透過した光に対応した第１信号と、前記生体で反射された前記第２波長の光が透過する第２濾光手段を透過した光に対応した第２信号とを受光素子が出力するステップと、
前記受光素子から出力された前記第１信号と前記第２信号とを取得し、前記第１信号と前記第２信号とから前記生体の脈に関する情報と前記生体の体動に関する情報を生成するステップと
を有する測定方法。
【発明の詳細な説明】
【技術分野】
【０００１】
本発明は光を用いて生体の測定を行う技術に関する。
【背景技術】
【０００２】
特許文献１には、光を生体に照射し、生体中の血液で反射された光を受光素子で検出して脈拍を測定する生体情報計測装置が開示されている。この生体情報計測装置は、波長が約４７０ｎｍの光を生体に照射する青色ＬＥＤ（Light Emitting Diode）と波長が約６６０ｎｍの光を生体に照射する赤色ＬＥＤを有している。また、生体情報計測装置は、互いに透過波長特性の異なる２つのフィルターが貼り付けられたフォトディテクターを有している。生体情報計測装置は、青色ＬＥＤから照射されて血液で反射した光と、赤色ＬＥＤから照射されて血液で反射した光を一つのフォトディテクターで交互に検出する。そして、生体情報計測装置は、フォトディテクターから出力された信号を用いて脈拍数を検出する。
【０００３】
また、特許文献２には、光を生体に照射し、生体中の血液で反射された光を受光素子で検出して脈拍を測定する生体状態検出装置が開示されている。この生体状態検出装置は、生体に緑色光を照射する緑色ＬＥＤと赤外光を照射する赤色ＬＥＤを有している。また、この生体状態検出装置は、生体で反射した緑色光と赤外光を受光する受光素子を有している。そして、生体状態検出装置は、緑色ＬＥＤと赤色ＬＥＤとを交互に点灯させ、受光素子で緑色光を受光して得た信号と、受光素子で赤外光を受光して得た信号とを用いて脈拍数を算出する。
【先行技術文献】
【特許文献】
【０００４】
【特許文献１】特開２００５−５２３８５号公報
【特許文献１】特開２００８−２６４３０２号公報
【発明の概要】
【発明が解決しようとする課題】
【０００５】
ところで、特許文献１，２に開示された各装置においては、光を出力するＬＥＤが２つとなっている。このため、光を出力するＬＥＤが一つの場合と比較して消費電力が大きくなる。消費電力の観点からすると、ＬＥＤが一つであることが望ましいが、ＬＥＤを一つにすると、受光素子で得た信号から体動の成分を除去するために加速度センサーなどの別なセンサーが必要となる。
【０００６】
本発明は、上述した事情に鑑みてなされたものであり、その目的の一つは、消費電力を抑えつつ、脈と体動の成分を含む信号から脈の情報と体動の情報を得ることにある。
【課題を解決するための手段】
【０００７】
上記目的を達成するため、本発明に係る測定装置は、第１波長の光と、前記第１波長より短い第２波長の光を生体に照射する発光素子と、前記発光素子から照射されて前記生体で反射された前記第１波長の光が透過する第１濾光手段と、前記発光素子から照射されて前記生体で反射された前記第２波長の光が透過する第２濾光手段と、前記第１濾光手段を透過した光に対応した第１信号と、前記第２濾光手段を透過した光に対応した第２信号を出力する受光素子と、前記受光素子から出力された前記第１信号と前記第２信号とを取得し、前記第１信号と前記第２信号とから前記生体の脈に関する情報と前記生体の体動に関する情報を生成する情報生成部とを有することを特徴とする。
本発明によれば、一つの発光素子で２つの波長の光を生体に照射し、この２つの波長の光を受光素子で受光して生体の脈と体動に関する情報を得られるので、生体に光を照射する発光素子が２つである構成と比較して、消費電力を抑えつつ、脈と体動の成分を含む第１信号と第２信号から脈の情報と体動の情報を得ることができる。
【０００８】
本発明においては、前記第１波長の光は、前記生体の乳頭下層に到達せず、前記第２波長の光は、前記生体の網状層に到達する光である構成としてもよい。この構成によれば、第２信号においては、体動がある場合に第１信号より体動の影響が大きく表れるので、体動の情報を得やすくなる。
また、本発明においては、前記第１波長は、前記発光素子の発光スペクトルにおいて光の強度がピークとなっている波長であってもよい。この構成によれば、第１波長の光は、第２波長の光より強度が強いこととなる。
波長が短い光は、生体において体動から受ける影響が波長が長い光より小さい。このため、受光素子からは、振幅が大きく体動の成分が第２信号より少ない第１信号を得ることができ、脈の情報を得やすくなる。
【図面の簡単な説明】
【０００９】
【図１】実施形態に係る測定装置１の外観図。
【図２】測定装置１のハードウェア構成を示したブロック図。
【図３】実施形態に係る発光ダイオード１１の発光スペクトルを示した図。
【図４】フォトダイオード２１の外観と等価回路を示した図。
【図５】検出部２０の構成を示した図。
【図６】測定装置１が行う処理の流れを示したフローチャート。
【図７】フォトダイオード２１から出力される信号の波形を示した図。
【発明を実施するための形態】
【００１０】
［実施形態］
図１は、本発明の一実施形態に係る測定装置１の外観図である。測定装置１は、人体１００の脈波や脈拍を測定する装置である。測定装置１は、測定装置１を操作するための操作部として機能する複数のボタン５１Ａと５１Ｂを有している。また、測定装置１は、脈に関する情報を表示する表示部４０を有している。測定装置１は、腕時計と同様にベルト２によって人体１００に固定され、測定した脈波や脈拍を表示部４０に表示する。
【００１１】
図２は、測定装置１のハードウェア構成を示したブロック図である。
光源１０は、人体１００に光を照射する発光ダイオード１１を有している。なお、本実施形態においては、発光ダイオード１１の発光スペクトルは図３に示した発光スペクトルとなっている。発光ダイオード１１においては、出力される光のピーク波長が５２０ｎｍ（緑色）である。また発光ダイオード１１からは、波長が５５０ｎｍ（黄緑色）の光も出力される。発光ダイオード１１の消灯／点灯は、制御部３０により制御される。
検出部２０は、光を電気信号に変換する受光素子としてＰＩＮフォトダイオードを備えており、人体１００で反射した光をフォトダイオードで受光し、受光した光に対応した信号を出力する。検出部２０の詳細については後述する。
【００１２】
制御部３０は、ＣＰＵ（Central Processing Unit）、ＲＯＭ（Read Only Memory）、ＲＡＭ（Random Access Memory）、入力ポートおよび出力ポートを備えた、所謂マイクロコンピューターである。制御部３０は、ＲＯＭに記憶されたプログラムに従って動作し、接続されている各部の制御を行う。また、制御部３０は、検出部２０から出力された信号を解析して生体の脈拍や脈波を測定し、表示部４０を制御して測定結果を表示部４０に表示させる。
記憶部３５は、不揮発性メモリーであり制御部３０に接続されている。記憶部３５は、制御部３０の制御の下、検出部２０から出力された信号を記憶する。
表示部４０は、液晶ディスプレイ装置を備えており、制御部３０が測定した結果を表示する。なお、本実施形態においては、表示部４０は液晶ディスプレイ装置で測定結果の表示を行うが、表示を行うのは液晶ディスプレイ装置に限定されず、有機ＥＬ（Electro-Luminescence）を用いた表示装置など、他の表示装置であってもよい。
操作部５０は、測定装置１を操作するためのボタン５１Ａ，５１Ｂを備えている。制御部３０はボタンに対して行われた操作を監視し、行われた操作に応じて光源１０の制御や測定結果の表示を行う。
【００１３】
（検出部２０の構成）
図４は、検出部２０の構成と人体１００の皮膚を模式的に示した図。図５（ａ）は、検出部２０が備えるフォトダイオード２１の上面図、図５（ｂ）は、フォトダイオード２１の等価回路図である。図５（ａ）に示したように、フォトダイオード２１は、第１の受光部（以下、第１受光部２２Ａと称する）と第２の受光部（以下、第２受光部２２Ｂと称する）を有している。即ち、本実施形態に係るフォトダイオード２１は、一つの受光素子において受光部を２分割した２分割フォトダイオードである。
図５（ｂ）に示したように、フォトダイオード２１は、第１受光部２２Ａに到達した光を電気信号に変換するフォトダイオード２３Ａのカソードと、第２受光部２２Ｂに到達した光を電気信号に変換するフォトダイオード２３Ｂのカソードを互いに接続し、カソード側を端子２４Ａと端子２４Ｄに接続した構成となっている。なお、フォトダイオード２３Ａのアノードは端子２４Ｃに接続され、フォトダイオード２３Ｂのアノードは、端子２４Ｂに接続されている。
フォトダイオード２１は、逆バイアスを掛けた状態で第１受光部２２Ａに光が入射すると、第１受光部２２Ａに入射した光に対応した信号が端子２４Ｃから出力される。また、第２受光部２２Ｂに光が入射すると第２受光部２２Ｂに入射した光に対応した信号が端子２４Ｂから出力される。
【００１４】
第１フィルター２５Ａ（第１濾光手段）と第２フィルター２５Ｂ（第２濾光手段）は、予め定められた波長の光を透過するフィルターである。第１フィルター２５Ａは第１受光部２２Ａの表面に配置され、第２フィルター２５Ｂは第２受光部２２Ｂの表面に配置されている。なお、本実施形態においては、第１フィルター２５Ａを透過する光の波長は、５２０ｎｍ（緑色）である。つまり、発光ダイオード１１が人体１００に照射する光の波長と同じ波長となっている。また、第２フィルター２５Ｂを透過する光の波長は、５５０ｎｍ（黄緑色）となっている。つまり、発光ダイオード１１が人体１００に照射する光の波長と同じ波長となっている。
このため、発光ダイオード１１から照射されて人体１００で反射された光のうち、波長が５２０ｎｍ（緑色）の光が第１フィルター２５Ａを透過して第１受光部２２Ａに到達する。そして、フォトダイオード２１においては、第１受光部２２Ａに入射した光に対応した信号が端子２４Ｃから出力される。また、発光ダイオード１１から照射されて人体１００で反射された光のうち、波長が５５０ｎｍ（黄緑色）の光が第２フィルター２５Ｂを透過して第２受光部２２Ｂに到達する。そして、フォトダイオード２１においては、第２受光部２２Ｂに入射した光に対応した信号が端子２４Ｂから出力される。
【００１５】
コンバーター２６は、入力されるアナログ信号をデジタル信号に変換する機能を備えている。コンバーター２６は、フォトダイオード２１の端子２４Ｂと端子２４Ｃに接続されている。コンバーター２６には、端子２４Ｂから出力されたアナログ信号と、端子２４Ｃから出力されたアナログ信号が入力される。また、コンバーター２６は、制御部３０に接続されている。コンバーター２６は、端子２４Ｂから出力されたアナログ信号をデジタル信号に変換して制御部３０へ出力する。また、コンバーター２６は、端子２４Ｃから出力されたアナログ信号をデジタル信号に変換して制御部３０へ出力する。
【００１６】
（実施形態の動作）
次に、測定装置１の動作について説明する。まず、図示せぬ電源から電力が測定装置１の各部へ供給されると、制御部３０においては、ＲＯＭに記憶されているプログラムが実行される。制御部３０がプログラムの実行を開始した後、操作部５０のボタンにおいて脈拍の測定開始を指示する操作が行われると（図６：ステップＳＡ１；ＹＥＳ）、制御部３０の制御の下、発光ダイオード１１が点灯されて人体１００の皮膚へ光が照射される（ステップＳＡ２）。
【００１７】
人体１００の皮膚においては、照射された光が到達する深さは、波長によって異なる。皮膚に照射される光が所謂可視光の領域にある場合、光が到達する深さは、波長が短い程浅く、波長が長くなるにつれて深くまで到達することが知られている。
例えば、発光ダイオード１１から照射された波長が５５０ｎｍの光（以下、第２光１２Ｂとする）の場合、この第２光１２Ｂは、皮膚表面から０．６ｍｍ程度まで到達する。人体１００の皮膚においては、図４に示したように表皮１１０、乳頭層１２０、乳頭下層１３０、網状層１４０があり、皮膚表面から０．６ｍｍ程度の深さの位置には網状層１４０がある。第２光１２Ｂは、網状層１４０にある毛細血管内の血液で反射する。なお、網状層１４０には、リンパ管や汗腺、皮脂腺などがあるため、血液で反射した第２光１２Ｂは、このリンパ管や汗腺、皮脂腺などの影響を受ける。また、人体１００が動くと、人体１００の動き（以下、体動と称する）によってリンパ管や汗腺、皮脂腺なども動き、血液で反射した第２光１２Ｂは体動の影響も受けることとなる。
【００１８】
また、発光ダイオード１１から照射された波長が５２０ｎｍの光（以下、第１光１２Ａとする）の場合、この第１光１２Ａは、皮膚表面から０．３ｍｍ程度まで到達し、これより深い位置にまでは到達しない。皮膚表面から０．３ｍｍ程度の深さの位置には乳頭層１２０があり、第１光１２Ａは、乳頭層１２０にある毛細血管内の血液で反射する。なお、乳頭層１２０においては、網状層１４０と比較して毛細血管以外の器官が少ない。このため、乳頭層１２０の毛細血管内の血液で反射した光は、血液以外の影響や体動による影響が網状層１４０の毛細血管で反射した光と比較して小さいこととなる。
【００１９】
発光ダイオード１１から照射されて血液で反射された光は、第１フィルター２５Ａと第２フィルター２５Ｂに到達する。ここで、第２フィルター２５Ｂは、透過する光の波長が５５０ｎｍとなっているため、反射された光に含まれている第２光１２Ｂが第２フィルター２５Ｂを通過する。そして、この通過した光が第２受光部２２Ｂに到達すると、到達した光に応じたアナログ信号（第２アナログ信号）がフォトダイオード２１の端子２４Ｂからコンバーター２６に出力される。なお、第２受光部２２Ｂに到達する第２光１２Ｂは、上述したように人体１００の動きの影響を受けるため、人体１００が動いた場合、端子２４Ｂから出力される信号には血流の変化の成分だけでなく、体動の成分も含まれることとなる。
【００２０】
また、第１フィルター２５Ａは、透過する光の波長が５２０ｎｍとなっているため、反射された光に含まれている第１光１２Ａが第１フィルター２５Ａを通過する。そして、この通過した光が第１受光部２２Ａに到達すると、到達した光に応じたアナログ信号（第１アナログ信号）がフォトダイオード２１の端子２４Ｃからコンバーター２６に出力される。なお、第１受光部２２Ａに到達する第１光１２Ａは、上述したように人体１００の動きの影響が第２光１２Ｂと比較して小さい。このため、人体１００が動いても、端子２４Ｃから出力される信号においては端子２４Ｂから出力される信号より体動の成分が小さいものとなる。
【００２１】
ここで図７（ａ）は、人体１００が静止している時の第１アナログ信号の波形の一例である。また、図７（ｂ）は、体動がある時の第１アナログ信号の波形の一例であり、図７（ｃ）は、体動がある時の第２アナログ信号の波形の一例である。
図７（ａ）と図７（ｂ）を比較すると、体動の影響が波形に表れることが分かる。
また、図７（ｂ）と図７（ｃ）を比較すると、光の波長が異なると波形への体動の影響が異なることが分かる。
【００２２】
コンバーター２６は、端子２４Ｃから供給された第１アナログ信号をデジタル信号に変換し、変換により得られたデジタル信号（第１デジタル信号）を制御部３０へ供給する。また、コンバーター２６は、端子２４Ｂから供給された第２アナログ信号をデジタル信号に変換し、変換により得られたデジタル信号（第２デジタル信号）を制御部３０へ供給する。制御部３０は、コンバーター２６から供給される第１デジタル信号を取得すると（ステップＳＡ３）、取得した第１デジタル信号に高速フーリエ変換処理を施す（ステップＳＡ４）。また、制御部３０は、コンバーター２６から供給される第２デジタル信号を取得すると（ステップＳＡ５）、取得した第２デジタル信号に高速フーリエ変換処理を施す（ステップＳＡ６）。
【００２３】
制御部３０は、高速フーリエ変換処理により周波数スペクトルを得る。なお、第２デジタル信号においては、変換前の第２アナログ信号において、脈の成分に加えて体動の成分が含まれている。このため、第２デジタル信号について高速フーリエ変化処理を施すと、周波数スペクトルにおいては、第２デジタル信号に含まれている脈成分の周波数ｆ１と、体動成分の周波数ｆ２にピークが表れる。
また、変換前の第１アナログ信号においては体動成分が第２アナログ信号より小さいため、第１デジタル信号においては、第２デジタル信号と比較して体動成分が小さい。このため、第１デジタル信号について高速フーリエ変化処理を施すと、周波数スペクトルにおいては、第１デジタル信号に含まれている脈成分の周波数ｆ１にピークが表れ、体動成分の周波数ｆ２にはピークが表れない。
制御部３０は、第２デジタル信号から得た周波数スペクトルと第１デジタル信号から得た周波数スペクトルとを比較することにより、両方の周波数スペクトルにおいてピークが表れている周波数ｆ１を脈成分の周波数と特定する（ステップＳＡ７）。また、制御部３０は、第２デジタル信号から得た周波数スペクトルにおいてピークが表れている周波数のうち、脈成分の周波数と異なる周波数ｆ２を体動成分の周波数と特定する（ステップＳＡ８）。そして、制御部３０は、脈に関する情報として、周波数ｆ１を表す情報を生成する。また、制御部３０は、体動に関する情報として、周波数ｆ２を表す情報を生成する。ここで、制御部３０は、体動に関する情報と脈に関する情報を生成する情報生成部として機能する。
【００２４】
制御部３０は、脈成分の周波数ｆ１を特定すると、特定した周波数ｆ１を用いて人体１００の脈拍数を算出する（ステップＳＡ９）。なお、脈拍数を算出する方法の一例としては、周波数ｆ１に６０を乗じる方法がある。制御部３０は、脈拍数を算出すると、算出した脈拍数を表示部４０に表示する（ステップＳＡ１０）。
なお、操作部５０において測定の終了を指示する操作が行われた場合（ステップＳＡ１１；ＹＥＳ）、制御部３０は、発光ダイオード１１を消灯し（ステップＳＡ１２）、処理の流れをステップＳＡ１に戻す。また、制御部３０は、ステップＳＡ１１でＮＯと判断した場合、ステップＳＡ３〜ステップＳＡ１０の処理を繰り返す。
【００２５】
以上説明したように本実施形態によれば、一つの発光素子（発光ダイオード１１）で体動の成分を除いた脈の情報を得ることができるため、２つの発光ダイオードを使用して脈の情報を得る従来技術と比較して、消費電力を抑えることができる。
また、本実施形態においては、第１アナログ信号と第２アナログ信号との間で、体動の成分に大きな差がでるように第１光１２Ａと第２光１２Ｂの波長の設定が行われている。このため、第１デジタル信号と第２デジタル信号とを高速フーリエ変換した際に、周波数スペクトルにおいて体動成分の周波数で大きな差が現れ、体動成分を容易に特定し、体動成分を除去した生体の情報を得ることができる。
【００２６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２７】
本発明において発光ダイオード１１が照射する光の発光スペクトルは図３に示した発光スペクトルに限定されるものでない。発光ダイオード１１は、乳頭下層１３０に到達せずに乳頭層１２０の毛細血管内の血液で反射される波長の第１光１２Ａと、網状層１４０に到達して網状層１４０の毛細血管内の血液で反射される波長の第２光１２Ｂを照射するものであれば、白色光を照射する発光ダイオードであってもよい。
また、第１光１２Ａの波長が第２光１２Ｂの波長より短ければ、第１光１２Ａの波長と第２光１２Ｂの波長は、上記以外の波長であってもよい。
また、上述した実施形態においては、発光ダイオード１１が人体１００に光を照射しているが、人体１００に光を照射するのは発光ダイオード１１に限定されるものではない。上述した第１光１２Ａと第２光１２Ｂを照射する一つの発光素子であれば、発光ダイオード１１以外の発光素子で人体１００に光を照射してもよい。
【００２８】
本発明において第１フィルター２５Ａを透過する光の波長と、第２フィルター２５Ｂを透過する光の波長は、上述した波長に限定されるものではない。第１フィルター２５Ａは、乳頭下層１３０に到達せず乳頭層１２０の毛細血管内の血液で反射される波長の光を透過すれば、５２０ｎｍ以外の波長の光を透過する構成であってもよい。また、第２フィルター２５Ｂは、網状層１４０に到達して網状層１４０の毛細血管内の血液で反射される波長の光を透過すれば、５５０ｎｍ以外の波長の光を透過する構成であってもよい。例えば、第２フィルター２５Ｂが透過する光の波長は、５７０ｎｍや６６０ｎｍなどであってもよい。
【００２９】
本発明においては、第１受光部２２Ａに到達する光の光量と、第２受光部２２Ｂに到達する光の光量とが同じまたは近くなるように、第１フィルター２５Ａの透過率と第２フィルター２５Ｂの透過率を設定してもよい。また、第１フィルター２５Ａの透過率と第２フィルター２５Ｂの透過率が同じである場合、第１受光部２２Ａに到達する光の光量と第２受光部２２Ｂに到達する光の光量とが同じまたは近くなるように、発光ダイオード１１の発光スペクトルを設定してもよい。
【００３０】
本発明において測定装置１は、第１デジタル信号から第１アナログ信号の波形を生成してもよい。また、生成した波形から体動成分（特定した周波数ｆ２の成分）を除去する演算を行って脈波の波形を生成し、生成した脈波の波形を表示部４０に表示してもよい。
【００３１】
本発明においては、制御部３０は、コンバーター２６から供給されるデジタル信号を記憶部３５に記憶させてもよい。また、測定装置１をコンピュータ装置に接続し、記憶部３５に記憶されたデジタル信号をコンピュータ装置に送信するようにしてもよい。また、記憶部３５に記憶されたデジタル信号をコンピュータ装置で取得し、取得したデジタル信号をコンピュータ装置で解析してもよい。
また、上述した実施形態においては、コンバーター２６は制御部３０と別体となっているが、制御部３０がコンバーター２６の機能を備えていてもよい。
また、上述した実施形態においては、測定装置１は、人体１００の脈に関する情報を得ているが、人以外の動物（生体）に対して測定装置１を使用して動物の脈に関する情報を得てもよい。
【符号の説明】
【００３２】
１・・・測定装置、２・・・ベルト、１０・・・光源、１１・・・発光ダイオード、１２Ａ・・・第１光、１２Ｂ・・・第２光、２０・・・検出部、２１・・・フォトダイオード、２２Ａ・・・第１受光部、２２Ｂ・・・第２受光部、２３Ａ，２３Ｂ・・・フォトダイオード、２４Ａ〜２４Ｄ・・・端子、２６・・・コンバーター、３０・・・制御部、３５・・・記憶部、４０・・・表示部、５０・・・操作部、５１Ａ，５１Ｂ・・・ボタン、１００・・・人体、１１０・・・表皮、１２０・・・乳頭層、１３０・・・乳頭下層、１４０・・・網状層
【図１】
2011087657.tif 000003
【図２】
2011087657.tif 000004
【図３】
2011087657.tif 000005
【図４】
2011087657.tif 000006
【図５】
2011087657.tif 000007
【図６】
2011087657.tif 000008
【図７】
2011087657.tif 000009